【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
構造物組立て用の数種類のモジュール式構造コンポーネントを含むシステムであって、各構造コンポーネントが複数の構造エレメントの少なくとも１つを有し、構造エレメントが、
弦材を備え、各弦材は
中央のボアの周りを取り囲む４つの主要壁により規定されるほぼ四角の断面と４つの内側主要面と４つの外側主要面とを有する長尺な本体と、
各外側主要面に沿って且つ中心に位置づけられて延在するＴ形溝構造であって、各Ｔ形溝構造が、ボルト型締め具を受け入れるようにされた内側Ｔ形溝を有し、各Ｔ形溝がＴ形溝構造の外面から内側に延びる軸溝を含み、軸溝がその内端で軸溝に直角に延びる横溝と接続している、Ｔ形溝構造とを有し、さらに構造エレメントが、
形成帯を備え、各形成帯が、
複数の帯セグメントから形成された単一のほぼ長尺な帯板であって、各帯セグメントが隣接する帯セグメントに関して直角方向を向き、帯セグメントが連続する領域に形成されている帯板と、
２つの隣接する主要壁とＴ形溝構造の隣接する側壁とによって形成された対応する弦材支持面と係合する支持面を形成するＷ形状断面を形成するコーナー領域と、
Ｔ形溝構造の外面によって形成された弦材支持面と係合する支持面を形成する面領域と、
形成帯を固定するために該面領域の縁部から外側に延びる取り付け領域と、を備えた、システム。
【請求項２】
請求項１に記載のモジュール式構造コンポーネントの構造エレメントであって、該構造コンポーネントは、
直線弦材であって、該直線弦材が他の構造コンポーネントに取り付けられるよう弦材の端部近くで弦材を通って延びる複数のボルト穴を有するほぼ垂直に配向された単一の弦材である、直線弦材、
母屋であって、補強エレメントによって相互接続された平行な構造エレメントを含むほぼ水平に配向された構造コンポーネントであり、該母屋を他の構造コンポーネントに取付けるために、母屋の各端部に配置された接続エレメントを有する、母屋、
トラスであって、補強部材によって相互接続された平行な構造エレメントを含むほぼ水平に配向された構造補強コンポーネントであり、該トラスを他の構造コンポーネントに取付けるために、トラスの各端部に配置された接続エレメントを有する、トラス、
火打であって、水平に所定角度に配向された構造補強コンポーネントであり、補強部材によって相互接続された平行な構造エレメントを含み、該火打を他の構造コンポーネントに取付けるために、火打の各端部に配置された接続エレメントを有する、火打、
ブラケットであって、２つの構造コンポーネント間に所定の角度で取付けるための補強部材であり、該ブラケットを他の構造コンポーネントに取付けるために補強エレメントの各端部に配置された接続エレメントを有する、ブラケット、
屋根部材であって、屋根構造の標準断面を形成するために配置された構造エレメントを含む構造コンポーネントであり、該屋根部材を他の構造コンポーネントに取付けるための少なくとも１つの接続エレメントを有する屋根部材、
のうちの少なくとも１つを含む、構造エレメント。
【請求項３】
請求項２記載のモジュール式構造コンポーネントの構造エレメントであって、取り付けエレメントが、他の構造コンポーネントの弦材と係合する構造コンポーネントに永久的に取付けられた形成帯のセグメントであり、該取り付けエレメントを他の構造コンポーネントに取付けるために配置された少なくとも１つのボルト穴を有する、構造エレメント。
【請求項４】
請求項１記載のモジュール式構造コンポーネントの構造エレメントであって、構造コンポーネントはさらに、
スタブを備え、該スタブは、弦材のボアに滑りばめする寸法の四角断面の管のセグメントであり、弦材のボアにスタブを接続するためのボルト型の締め具を受け入れるための少なくとも１つの横方向のボルト穴を有する、構造エレメント。
【請求項５】
請求項１記載のモジュール式構造コンポーネントの構造エレメントであって、形成帯が、さらに、弦材のＴ形溝構造と係合するＴ形ボルトと弦材を通って横方向に延在するボルト穴と係合する六角ボルトとの少なくとも１つによって弦材に形成帯を取付けるためのボルト型締め具を受け入れる少なくとも１つのボルト穴を有し、少なくとも１つのボルト穴が、弦材の対向するＴ形構造の軸溝及び横溝を通って延びる、構造エレメント。
【請求項６】
請求項２記載のモジュール式構造コンポーネントの構造エレメントであって、構造コンポーネントの少なくとも選択された１つが、選択された構造コンポーネントの構造エレメントの端部近くに配置されたボルト穴を含み、ボルト穴が、他の構造コンポーネントを選択された構造コンポーネントに取付けるために、選択された構造コンポーネントに沿って間をあけて配置された、構造エレメント。
【請求項７】
請求項１に記載のモジュール式構造コンポーネントの構造エレメントであって、
各Ｔ形溝構造が、弦材の外側主要面から平行に外側に延びる２つの平行な溝側壁と、溝側壁の外側縁部から内側に延び、外側主要面と平行な２つの溝正面壁とによって規定される構造エレメント。
【請求項８】
請求項２記載のモジュール式構造コンポーネントの構造エレメントであって、各構造コンポーネントが１つの構造コンポーネントを他の構造コンポーネントに接続するためのボルト型コネクタを受け入れる少なくとも1つのボルト穴を含む構造エレメント。
【請求項９】
請求項１記載のモジュール式構造コンポーネントの構造エレメントであって、ボルト型コネクタが、標準の六角ボルト及びＴ形ボルトの少なくとも１つを含み、
Ｔ形ボルトが、横溝の幅よりも大きく軸溝の幅よりも狭い矩形の頭部を有し、それにより
Ｔ形ボルトの頭部がＴ形溝の長手軸に整列したとき、Ｔ形ボルトの頭部は軸溝を通ってＴ形溝の横溝に入ることができ、頭部が回転してＴ形溝の長手軸に横方向に配向したとき横溝に保持される構造エレメント。
【請求項１０】
請求項９記載のモジュール式構造コンポーネントの構造エレメントであって、
Ｔ形溝の少なくとも１つの内面が、Ｔ形ボルトからの引っ張り及びねじりの力からくる圧縮力を支持する支持面であり、各横溝の最も内側の面によって規定される各面が弦材の対応する外側主要面に関して内側にオフセットしていて、それにより、各横溝の内面と弦材の対応する外側主要面とによって規定される面の間に厚みが増大した対角の主要壁厚みを形成する構造エレメント。
【請求項１１】
請求項１記載のモジュール式構造コンポーネントの構造エレメントであって、
弦材及び形成帯の支持面が相互に係合し、最大で４つの形成帯が、弦材に沿った与えられた位置で係合し、各形成帯が弦材の４つの外側主要面の対応する１つと係合する構造エレメント。
【請求項１２】
構造物組立て用のモジュール式構造コンポーネントを含むシステムにおいて、第一の構造コンポーネントを第二の構造コンポーネントに構造的に取付けるための接続構造が、
第一及び第二の構造コンポーネントの一方と永久的に一体化したエレメントを形成する弦材のセグメントを備え、
弦材が、
中心のボアを取り囲む４つの主要壁によって規定されたほぼ四角形の断面と４つの内側主要面と4つの外側主要面とを有するほぼ長尺な本体と、
各外側主要面に沿って且つ中心に位置づけられて延在するＴ形溝構造であって、各Ｔ形溝構造が、ボルト型締め具を受け入れるようにされた内側Ｔ形溝を有し、各Ｔ形溝がＴ形溝構造の外面から内側に延びる軸溝を含み、軸溝が、軸溝の内端で軸溝に直角に延びる横溝と接続している、Ｔ形溝構造とを備え、
第一及び第二の構造コンポーネントの他方と永久的に一体化したエレメントを形成する形成帯のセグメントを備え、
形成帯は、
複数の帯セグメントに形成された単一のほぼ長尺な帯板であって、各帯セグメントが隣接する帯セグメントに関して直角方向を向き、帯セグメントが連続する領域に形成されている帯板と、
２つの隣接する主要壁とＴ形溝構造の隣接する側壁とによって形成された対応する弦材支持面と係合する支持面を形成するＷ形状断面を形成するコーナー領域と、
Ｔ形溝構造の外面によって形成された弦材支持面と係合する支持面を形成する正面領域と、
形成帯を固定するために該正面領域の縁部から外側に延びる取り付け領域とを備え、
形成帯の正面領域に配置され、弦材のＴ形溝構造と係合するＴ形ボルト及び弦材を通って横方向に延在するボルト穴と係合する六角ボルトの少なくとも１つによって弦材に形成帯を取付けるためのボルト型締め具を受け入れる少なくとも１つのボルト穴を有する、接続構造。
【請求項１３】
請求項１２記載の接続構造であって、
各Ｔ形溝構造が、弦材の外側主要面から平行に外側に延びる２つの平行な溝側壁と、
溝側壁の外側縁部から内側に延び、外側主要面と平行な２つの溝正面壁とによって規定される、接続構造。
【請求項１４】
請求項１２記載の接続構造であって、
弦材及び形成帯の支持面が相互に係合し、４つの形成帯が弦材に沿った与えられた位置で係合し、各形成帯が弦材の４つの外側主要面の対応する１つと係合する接続構造。
【請求項１５】
請求項１記載のシステムであって、さらに囲いコンポーネントを含み、
地面に沿って配置可能で構造物の壁に平行なシーリング防壁であって、地面にシールされた防壁を形成し、地面に沿って且つシーリング防壁の下に流動性材料の流れを防止するシーリング防壁を備え、
シーリング防壁は、
流動性材料の流路に対して防壁を形成する剛性防壁と、
剛性防壁の下面に設けられ、剛性防壁と地面との間にシールを形成し、剛性防壁下における流動性材料の流れを防止するシーラーとを備え、
壁の下部に密封防壁を調節可能に取付けるための囲いブラケットを備え、
囲いブラケットは、
地面に関してシーリング防壁の支持及び垂直位置決めのための調整可能なブラケットを備え、該ブラケットは、
剛性防壁を取り付けるために下端に防壁ブラケットを有する調整可能な支持部と、
調整可能な取付部であって、調整可能な支持部の上端を受け入れ、調整可能な取付部から調整可能な支持部の下方への伸張を調整可能に決定するための調節可能な取付部と、
壁の下部に調整可能なブラケットを取付けるための壁から下方及び外側に延在する取付ブラケットを備え、該ブラケットは、
壁から下方及び外側に延在する主要支持部と、
壁の構造エレメントに主要支持部を取付けるための取付コネクタと、
主要支持部から下方に延在し、取付板に関して、２つの選択的な垂直位置のいずれかに調整可能な取付部を支持するための脱離可能な接続部を有する取付板を備えたシステム。
【請求項１６】
請求項１７に記載の囲いコンポーネントであって、
取付ブラケットの取付コネクタは、壁の構造エレメントを形成する弦材と係合する形成帯であり、
取付ブラケットの取付板は形成帯であり、
調整可能なブラケットの調整可能な支持部及び調整可能な取付部は、取付ブラケット形成帯と係合し、Ｔ形ボルトによって調整可能に接続された、囲いコンポーネント。
【請求項１７】
複数種類のモジュール式構造コンポーネントからモジュール式構造を組み立てる方法であって、
第一構造コンポーネントの永久一体エレメントを形成する形成帯セグメントと第二構造コンポーネントの永久一体エレメントを形成する弦材セグメントとを係合し、
第一構造コンポーネントの形成帯セグメントの正面領域に位置する少なくとも１つのボルト穴にボルト型締め具を挿入し、ボルト型締め具を第二構造コンポーネントの弦材セグメントに係合させ、ボルト型締め具は弦材セグメントのＴ形溝構造と係合するＴ形ボルト及び弦材セグメントを横方向に通って延在するボルト穴に係合する六角ボルトのうちの１つであり、
ボルト型締め具を調整して、形成帯セグメントを弦材セグメントと係合するようにし、
弦材セグメントは、中央のボアの周りを取り囲む４つの主要壁により規定されたほぼ四角形断面と４つの内側主要面と４つの外側主要面とを有する長尺な本体と、
各外側主要面に沿って且つ中心に位置づけられて延在するＴ形溝構造であって、各Ｔ形溝構造が、ボルト型締め具を受け入れるようにされた内側Ｔ形溝を有し、各Ｔ形溝がＴ形溝構造の外面から内側に延びる軸溝を含み、軸溝が、その内端で軸溝に直角に延びる横溝と接続しているＴ形溝構造とを有し、さらに構造エレメントが、
形成帯セグメントを備え、各形成帯セグメントが、
複数の帯セグメントに形成された単一のほぼ長尺な帯板であって、各帯セグメントが隣接する帯セグメントに関して直角方向を向き、帯セグメントが連続する領域に形成されている帯板と、
２つの隣接する主要壁とＴ形溝構造の隣接する側壁とによって形成された対応する弦材支持面と係合する支持面を形成するＷ形状断面を形成するコーナー領域と、
Ｔ形溝構造の外面によって形成された弦材支持面と係合する支持面を形成する面領域と、
形成帯を固定するために該面領域の縁部から外側に延びる取り付け領域と、
形成帯の面領域に位置する少なくとも１つのボルト穴と、を有する方法。
【請求項１８】
請求項１７記載の接続構造であって、
各Ｔ形溝構造が、弦材セグメントの外側主要面から平行に外側に延びる２つの平行溝側壁と、溝側壁の外端から内側に延在し、外側主要面に平行な２つの溝面壁によって規定される接続構造。
【請求項１９】
請求項１７記載の接続構造であって、弦材セグメントの支持面及び形成帯セグメントの支持面は、相互に係合形状を形成し、４つの形成帯セグメントが弦材セグメントに沿って与えられた位置に係合するようにし、各形成帯セグメントは弦材セグメントの４つの外側主要面の対応する１つと係合する接続構造。
【請求項２０】
第一モジュール式構造コンポーネントを第二モジュール式構造コンポーネントに取り付けるための方法であって、
第一及び第二構造コンポーネントの１つの永久一体エレメントを形成する形成帯セグメントを第一及び第二の他方の構造コンポーネントの永久一体エレメントを形成する弦材セグメントに係合させ、
形成帯セグメントの面領域に位置する少なくとも１つのボルト穴にボルト型締め具を挿入し、ボルト型締め具を弦材セグメントに係合させ、ボルト型締め具は弦材セグメントのＴ形溝構造と係合するＴ形ボルト及び弦材セグメントを横方向に通って延在するボルト穴に係合する六角ボルトのうちの１つであり、
ボルト型締め具を調整して、形成帯セグメントを弦材セグメントと係合するようにし、
弦材セグメントは、中央のボアの周りを取り囲む４つの主要壁により規定されたほぼ四角形断面と４つの内側主要面と４つの外側主要面とを有する長尺な本体と、
各外側主要面に沿って且つ中心に位置づけられて延在するＴ形溝構造であって、各Ｔ形溝構造が、ボルト型締め具を受け入れるようにされた内側Ｔ形溝を有し、各Ｔ形溝がＴ形溝構造の外面から内側に延びる軸溝を含み、軸溝がその内端で軸溝に直角に延びる横溝と接続しているＴ形溝構造とを有し、さらに構造エレメントが、
形成帯セグメントを備え、各形成帯セグメントが、
複数の帯セグメントに形成された単一のほぼ長尺な帯板であって、各帯セグメントが隣接する帯セグメントに関して直角方向を向き、帯セグメントが連続する領域に形成されている帯板と、
２つの隣接する主要壁とＴ形溝構造の隣接する側壁とによって形成された対応する弦材支持面と係合する支持面を形成するＷ形状断面を形成するコーナー領域と、
Ｔ形溝構造の外面によって形成された弦材支持面と係合する支持面を形成する面領域と、
形成帯を固定するために該面領域の縁部から外側に延びる取り付け領域と、
形成帯の面領域に位置する少なくとも１つのボルト穴とを有する、方法。
【請求項２１】
請求項２０記載の接続構造であって、
各Ｔ形溝構造が、弦材セグメントの外側主要面から平行に外側に延びる２つの平行溝側壁と、溝側壁の外端から内側に延在し、外側主要面に平行な２つの溝面壁によって規定される接続構造。
【請求項２２】
請求項２０記載の接続構造であって、弦材セグメントの支持面及び形成帯セグメントの支持面は、相互に係合形状を形成し、４つの形成帯セグメントが弦材セグメントに沿って与えられた位置に係合するようにし、各形成帯セグメントは弦材セグメントの４つの外側主要面の対応する１つと係合する接続構造。